(57)【特許請求の範囲】
【請求項１】
予め決められた複数の送信リソースの中から、少なくとも１つの利用可能な送信リソースの組であって、各組が複数のパラメータにより記述されるような送信リソースの組を、二次局に対して指示する方法であって、
− 制御シグナリングチャネルと、送信リソースの組を記述する少なくとも１つのパラメータとの静的な結合関係を、前記二次局において予め設定する工程と、
− 送信リソースの前記組を記述する前記複数のパラメータから、少なくとも１つの残りの動的なパラメータを、アドレスにコード化する工程と、
− 前記制御シグナリングチャネルを用いて、前記アドレスを前記二次局に送信する工程と
を含むことを特徴とする方法。
【請求項２】
前記利用可能な送信リソースが、コード、タイムスロット、周波数のサブキャリア、空間リソース単位の各タイプうちの、少なくとも１つであることを特徴とする請求項１記載の方法。
【請求項３】
前記送信リソースは、一次局から前記二次局にデータを送信するためのリソースであることを特徴とする請求項１記載の方法。
【請求項４】
前記送信リソースは、前記二次局から一次局にデータを送信するためのリソースであることを特徴とする請求項１記載の方法。
【請求項５】
対応の送信リソースの各組に関するそれぞれの固定パラメータが、前記利用可能な送信リソースのリスト中における開始点であることを特徴とする請求項１から４いずれか１項記載の方法。
【請求項６】
前記少なくとも１つの残りのパラメータが、前記開始点の追加オフセットを含んでいることを特徴とする請求項５記載の方法。
【請求項７】
前記追加オフセットが、正または負のオフセットであることを特徴とする請求項６記載の方法。
【請求項８】
前記少なくとも１つの残りのパラメータが、前記リスト中における方向を含んでいることを特徴とする請求項５から７いずれか１項記載の方法。
【請求項９】
前記少なくとも１つの残りのパラメータが、利用可能な送信リソースの数を含んでいることを特徴とする請求項５から８いずれか１項記載の方法。
【請求項１０】
前記制御シグナリングチャネルと結合関係にある前記パラメータが、利用可能な送信リソースの数であることを特徴とする請求項１記載の方法。
【請求項１１】
前記少なくとも１つの残りのパラメータが、利用可能な送信リソースの前記リスト中における、開始点を含んでいることを特徴とする請求項１０記載の方法。
【請求項１２】
前記少なくとも１つの残りのパラメータが、送信リソースの追加の数を含んでいることを特徴とする請求項１０または１１記載の方法。
【請求項１３】
前記追加の数が、正または負の数であることを特徴とする請求項１２記載の方法。
【請求項１４】
請求項１から１３いずれか１項記載の方法に従う利用可能な送信リソースを、指示する手段を含むことを特徴とする一次局。
【請求項１５】
請求項１から１３いずれか１項記載の方法で生成される、利用可能な送信リソースの指示を復号する手段を含むことを特徴とする二次局。
【請求項１６】
請求項１４記載の一次局を少なくとも１つ、および請求項１５記載の二次局を少なくとも１つ、含むことを特徴とする通信システム。
【請求項１７】
各々が複数のパラメータにより記述される予め決められた複数の送信リソースの中から利用可能な送信リソースを二次局に対して指示するための手段を有する一次局であって、
制御シグナリングチャネルと、送信リソースの組を記述する少なくとも１つの固定のパラメータとの静的な結合関係を予め設定するために前記二次局にシグナリングするためのシグナリング手段、
送信リソースの前記組を記述する前記複数のパラメータから、少なくとも１つの残りの動的なパラメータを、アドレスにコード化するためのコード化手段、
前記制御シグナリングチャネルを用いて、前記アドレスを前記二次局に送信するための送信機、
を有する一次局。
【請求項１８】
各々が複数のパラメータにより記述される予め決められた複数の送信リソースの中から利用可能な送信リソースの指示をデコードするための手段を有する二次局であって、
制御シグナリングチャネルと、送信リソースの組を記述する少なくとも１つの固定のパラメータとの静的な結合関係を予め設定するための高層レイヤーシグナリングを一次局から受信し、アドレスを前記一次局から受信するための受信手段、
送信リソースの前記組を記述する前記複数のパラメータからの少なくとも１つの残りの動的なパラメータを前記アドレスからデコードするためのデコード手段、
を有する二次局。
【発明の詳細な説明】
【技術分野】
【０００１】
本発明は、利用可能な送信リソースのアドレス指定方法、およびかかる方法に適した基地局ならびに移動局に関するものである。
【背景技術】
【０００２】
ＵＭＴＳでは、ＨＳＤＰＡアクセスのための利用可能な送信リソースの割当て、この場合においてはコードの割当ては、典型的には、複数の端末に対して操作される。これらの利用可能なリソースは、１５個の利用可能なコードからなるリスト中に列挙される。ＵＭＴＳ規格によれば、各コードセットが１つの連続したブロック中に存在することが要求されており、これは、１つの端末に対するコード番号は連続番号であることを意味する。これにより、これらの利用可能なリソースの組をシグナリングするにあたり、必要なパラメータの数は２つのみとなり、具体的には、リスト中における開始点、およびこの端末に割り当てられるコードの数という、２つのパラメータのみでよいこととなる。
【０００３】
現在、ＦＤＤモードのＨＳＤＰＡに関するＵＭＴＳ規格には、他のパラメータに加え、ＣＣＳ（Ｃｈａｎｎｅｌｉｚａｔｉｏｎ  Ｃｏｄｅ  Ｓｅｔ；チャネル化コードセット）のために７個のビットを用いて、シグナリングを行うことが記載されている。このことは、利用可能なリソースのリストが最大１５個のコードを含む場合には、開始コードとコードの数との１２０個の可能な設定すべてを、指示することを可能とする。
【０００４】
これら１２０個の可能な設定は、図１に図解されている。この図では、割り当てられたコードの数を表す各行に対し、黒く塗られたセルのそれぞれが、開始点の１つの可能な値を表す。
【０００５】
この場合、ＨＳＤＰＡを用いた各移動端末は、最大４つの制御チャネル（ＨＳ−ＳＣＣＨ）をモニタリングして、それらの制御チャネルのうちの１つがその端末用に意図された制御情報を担持する場合に備えることを要求される。
【０００６】
実際には、可能な最大のコード数よりも少ない数のコードが、ＨＳＤＰＡデータ送信用のネットワークにより割り当てられているかもしれない。しかしながら、現行のＨＳ−ＳＣＣＨシグナリングは、コード空間全体をアドレス指定できるようにしている。
【０００７】
しかしながら、ＵＭＴＳにおけるシグナリングのオーバーヘッド量は、潜在的に顕著な量であり、このシグナリングに使用されるビットの数を最小限に抑えることが必要である。
【発明の概要】
【発明が解決しようとする課題】
【０００８】
したがって、本発明の１つの目的は、より少ないシグナリングオーバーヘッドを用いて、利用可能な送信リソースを、動的に割り当てる方法を提供することである。
【課題を解決するための手段】
【０００９】
本発明の第１の側面によれば、予め決められた複数の送信リソースの中から、少なくとも１つの利用可能な送信リソースの組であって、各組が複数のパラメータにより記述されるような送信リソースの組を、二次局に対して指示する方法であって、
− 制御シグナリングチャネルと、送信リソースの組を記述する少なくとも１つのパラメータとの結合関係を、二次局にシグナリングする工程と、
− 送信リソースの上記の組を記述する上記の複数のパラメータから、少なくとも１つの残りのパラメータを、アドレスにコード化する工程と、
− 上記の制御シグナリングチャネルを用いて、上記のアドレスを二次局に送信する工程と
を含むことを特徴とする方法が提案される。
【００１０】
本発明の第２の側面によれば、本発明の第１の側面による方法に従って利用可能なリソースを割り当てる手段を含む、一次局が提案される。
【００１１】
本発明の第３の側面によれば、本発明の第１の側面による方法で生成されたリソース割当てにつき、アドレスを復号する手段を含む二次局が提案される。
【図面の簡単な説明】
【００１２】
【図１】上記のとおり、割り当てられる可能性のある設定を表した図
【図２】本発明の第１の実施形態を用いてコード化することのできる設定を表した図
【図３】本発明の第２の実施形態を用いてコード化することのできる設定を表した図
【図４】本発明の第３の実施形態を用いてコード化することのできる設定を表した図
【発明を実施するための形態】
【００１３】
以下、図面により図解される例の助けを借りて、本発明がより明確に理解されよう。
【００１４】
本発明の第１の側面によれば、利用可能なリソースの組を複数の端末（たとえばＵＭＴＳにおける移動局）に割り当てるため、これらの組を、制御チャネル（たとえばＨＳ−ＳＣＣＨ（Ｈｉｇｈ  Ｓｐｅｅｄ  Ｓｈａｒｅｄ  Ｃｏｎｔｒｏｌ  Ｃｈａｎｎｅｌ；高速共有制御チャネル））の少なくとも１つに対する、利用可能なリソースの半静的な組として設定することが要求される。たとえば、ＨＳＤＰＡ（Ｈｉｇｈ  Ｓｐｅｅｄ  Ｄｏｗｎｌｉｎｋ  Ｐａｃｋｅｔ  Ａｃｃｅｓｓ；高速ダウンリンクパケットアクセス）のアドレス指定の場合には、拡散コードのような複数のコードが、最大４つの個々の端末に割り当てられる。
【００１５】
こうすることにより、可能な設定を完全に記述するのに必要なパラメータの数が、より少なくなる。可能な設定すべてのコード化をサポートしないことにより、たとえシステム全体のフレキシビリティが低下しかねないとしても、本発明は、リソースの組をコード化するのに使用されるビットの数の削減を可能とする。
【００１６】
ＨＳ−ＳＣＣＨ上におけるシグナリングビットの数を削減することは、制御シグナリングのオーバーヘッドに必要とされる、基地局の送信パワーの割合を低減させるという利点を有する。あるいは、シグナリングビットの数が削減されたという利点を活かして、ＨＳ−ＳＣＣＨシグナリングを受信端末が成功裡に受信できるカバー領域を、拡大することも可能かもしれない。
【００１７】
図示されている例では、システムはＵＭＴＳのＦＤＤモードに関連しており、利用可能なリソースは拡散コードであるが、本発明は、ＧＳＭやＷｉＭａｘ等といった他のシステムにも適用可能なものであり、リソースも、タイムスロット、周波数のサブキャリア、またはアンテナもしくはＭＩＭＯレイヤーといったような空間リソース単位であってもよい。本発明は、原理上、ＴＤＤおよびＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ；直交周波数分割多重アクセス）を含む他のシステムにも適用することができる。
【００１８】
本発明の第１の実施形態では、開始コード、すなわち割り当てられるリソースの組における最初の利用可能なリソースが、各制御チャネルごとに固定される。かかる場合には、各制御チャネルは、自己の対応の開始点を有することとなり、これらの開始点は、各制御チャネルの間で異なるものとなる。すると、ＨＳ−ＳＣＣＨ自体のチャネル上で、第２のパラメータが動的にシグナリングされる必要がある。この第２のパラメータは、コードの数であってもよい。結果として、最大１５個までのコードのシグナリングは、従来の７ビットに代わり、４ビットしか必要としない。
【００１９】
図２は、２つの制御チャネルに関して、この実施形態の一例を示している。このケースでは、各々２ｍｓのサブフレームでＨＳＤＰＡデータを受信するように、２つの移動端末を同時にスケジューリングすることができる。現在のＵＭＴＳ規格では、２つのＨＳ−ＳＣＣＨが使用され、そのそれぞれが、チャネル化コードの数および開始コードのオフセットを指示するために、７ビットを担持している。しかしながら、本発明の１つの実施形態によれば、２つのＨＳ−ＳＣＣＨは、規定された開始コードのオフセットと、シグナリングされるコードの数を数える際の方向とをもって、予め設定される。１つの解決策としは、第１のＨＳ−ＳＣＣＨを、開始コード１を有し、そこから上向きにシグナリングされるコード数が数えられるものとして予め設定し、第２のＨＳ−ＳＣＣＨを、開始コード１５を有し、そこから下向きにシグナリングされるコード数が数えられるものとして予め設定する態様が挙げられる。この態様が矢印により図解されており、ＨＳ−ＳＣＣＨごとに７個ではなく４個のシグナリングビットしか要さずに、２つの移動端末に対し、コード数の可能性のあるすべての組合せをシグナリングすることを可能とする。
【００２０】
しかしながら、いくつかのシナリオでは、１５個のコードの全コード空間がＨＳＤＰＡデータ送信用に利用可能とはならないかもしれないので、フレキシビリティが低下させられ得る（たとえば、いくつかのコードが、回路により切り換えられる専用チャネルのために使用される場合）。そのような場合には、上記のＨＳ−ＳＣＣＨの一方または両方につき異なる開始コードが予め設定され、それらの間において低減されたコード空間の全体をアドレス指定できるようにしてもよい。たとえば、第１のＨＳ−ＳＣＣＨを、開始コードのオフセットとして３を有するように設定すると、最初２つのチャネル化コードを別のタイプの送信に利用する一方、２人のＨＳＤＰＡユーザーに対し残りのコード空間の任意の組合せをシグナリングする機能を維持することが可能となる。
【００２１】
３つの制御チャネルＨＳ−ＳＣＣＨが存在する場合にも、前述の例のように、１つのＨＳ−ＳＣＣＨを開始点１を有するように設定し、別の１つのＨＳ−ＳＣＣＨを開始点１５（ただし下向きの数え方）を有するように設定することが可能である。第３のＨＳ−ＳＣＣＨは、最初の２つのＨＳ−ＳＣＣＨと同様に、規定された開始コードと、数え方の方向とをもって予め設定される。
【００２２】
図３の矢印は、自己の対応の開始点を有する制御チャネルの各々につき、この方式で得られる対応の設定を表している。この態様は、コードの３つの組の可能性のある組合せのうち８０％を超える組合せのシグナリングを、可能とすることが示される。これに伴うシグナリングオーバーヘッドの低減に鑑みれば、かかる小さな制限は許容可能なものであるかもしれない。
【００２３】
この実施形態の１つのバリエーションでは、第３のＨＳ−ＳＣＣＨが、ある少ない数の可能性のある開始点、たとえば（１つだけではなく）４つの開始点といったような、複数の開始点の組をもって予め設定され、その開始点の組から、正確な開始点が動的にシグナリングされてもよい。この態様は、必要とされるシグナリングビットの数を、４個より多い数に増大させるが、チャネル化コードの３つの組のすべての可能な組合せを、シグナリングすることを可能にするという利点を有する。
【００２４】
図４に図示された別の例では、類似のアプローチにより、４つのＨＳ−ＳＣＣＨを伴う、可能性のあるコード割当ての広い範囲をカバーすることができ、ここで各ＨＳ−ＳＣＣＨは、開始点および方向をもって設定されている。一例として、以下のようなオフセットおよび方向を有するケースを考察する。
0005455640.tif 000002
【００２５】
図４の図表は、各ＨＳ−ＳＣＣＨによりシグナリングされる必要のあるコード数の範囲を、（異なる色により）示したものである。それぞれの場合において、コード数をシグナリングするために、最大４個のビットが必要とされる。
【００２６】
ここで、ＨＳ−ＳＣＣＨのいくつか（たとえば、設定されたオフセットとして、７または８のオフセットを有するＨＳ−ＳＣＣＨ）は、可能性のあるすべての選択肢をカバーするにあたり、他のＨＳ−ＳＣＣＨほど多くのビットを必要としない（たとえば、コード数をシグナリングするのに３ビットを必要とする）。
【００２７】
この可能性をカバーするため、各ＨＳ−ＳＣＣＨは、オフセット、方向、およびコードの最大数（たとえば１個、２個、４個、８個または１５個のコードであって、これらのコード数をシグナリングするためには、それぞれ０個、１個、２個、３個または４個のビットが必要とされる）をもって設定され得る。
【００２８】
３つのＨＳ−ＳＣＣＨの場合にも、上記と類似の拡張を用いて、チャネル化コードの３つの組の、すべての可能な組合せのシグナリングを可能とすることができる。
【００２９】
１つのバリエーションによれば、シグナリングはさらに、開始点の動的な追加オフセットを含んでいてもよい。たとえば、ＨＳ−ＳＣＣＨの第１の部分により動的にシグナリングされる開始コードのオフセットが、より高層レイヤーのシグナリングにより設定される開始点に対して、追加の項目となる。たとえば、開始コードオフセットとして２のオフセットを有するものとしてＲＲＣシグナリングにより予め設定されたＨＳ−ＳＣＣＨは、１コードに対し、２と２＋４＝６との間の任意の開始コードオフセットをシグナリングすることができる。この実施形態は、各制御チャネルにつき予め決められた開始点の組を有する上記で述べたバリエーションと、類似の動作を可能とする。
【００３０】
このことは、ＣＣＳの任意の組合せを、３つのＨＳ−ＳＣＣＨを用いてシグナリングすることを可能とする。
【００３１】
これらの実施形態の１つのバリエーションでは、これらの実施形態を組み合わせることが可能とされる。実際、各ＨＳ−ＳＣＣＨに関するシグナリングのフォーマット（すなわち、シグナリングされるビットの厳密な意味）は、各ＨＳ−ＳＣＣＨごとに独立に設定することができる。
【００３２】
したがって、４つのＨＳ−ＳＣＣＨの場合において、それらＨＳ−ＳＣＣＨのうちの２つを、２つのＨＳ−ＳＣＣＨの場合の例と同様に、半静的なコードオフセットおよび方向をもって、設定することが可能である。各ＨＳ−ＳＣＣＨにおいてシグナリングされる情報は、割り当てられたコードの数を示す。別の２つのＨＳ−ＳＣＣＨは、オフセットとコード数との両方がシグナリングされる、既存の規格におけるフォーマット（最初の２つのＨＳ−ＳＣＣＨにより必要とされるよりも多くのビットを必要とする）を用いるものとして、設定されてもよい。
【００３３】
別のバリエーションでは、ＨＳ−ＳＣＣＨの第１の群が、予め決められた開始点をもって設定され、コード数をもってのみ動的に動くものとされ、ＨＳ−ＳＣＣＨの第２の群が、予め決められた開始点を有するものとされ、コード数と開始点に対する追加オフセットとの両方をもって、動的に動くものとされてもよい。たとえば、３つのＨＳ−ＳＣＣＨの場合には、それらのうちの２つが、各々の静的な開始点（たとえば１および１５）と、リスト内における各々の方向（上向きおよび下向き）とをもって設定され、動的なコード数をもって制御されてもよい。第３のＨＳ−ＳＣＣＨは、一方では静的な開始点（たとえば２）を、他方では動的な追加オフセットおよび動的なコード数をもって、動作させられる。これらの動的な値は、それぞれの最大値までに制限される。たとえば、最大の追加オフセットが６、最大のコード数が５とされると、これらの設定をコード化するのに必要とされるビットの数は、５個のみである。
【００３４】
第３のＨＳ−ＳＣＣＨに関する可能な組合せが、以下の表に表されている。
0005455640.tif 000003
【００３５】
これらの可能な組合せは３２とおりしか存在しないので、これらの可能な組合せのコード化には、５ビットしか必要とされない。しかしながら、リソース分配の可能性のあるすべての組合せを考えるには、３つのＨＳ−ＳＣＣＨで十分である。第３のＨＳ−ＳＣＣＨの場合に関する組合せのコード化は、以下のように表わすことができる。ここで、各セル内の数字は、対応の組合せのアドレスである。
0005455640.tif 000004
【００３６】
たとえば、動作時において、３つのＨＳ−ＳＣＣＨが、異なるマッピングに従って設定されるものとする。第１および第２のＨＳ−ＳＣＣＨは、第１のマッピング、すなわち各々の予め決められた開始点および方向（たとえば１で上向き、ならびに１５で下向き）と、動的なコード数とを有するマッピングによって設定され、第３のＨＳ−ＳＣＣＨは、予め決められた開始点および方向（たとえば２で上向き）と、動的な追加オフセットおよびコード数とをもって設定される。これは、第１または第２のＨＳ−ＳＣＣＨを聞いているＵＥに送信されるデータは、４個のビットを用いてコード化されたコード数しか含まないことを意味する。第３のＨＳ−ＳＣＣＨを聞いているＵＥに送信されるデータは、追加オフセットおよびコード数を含む。いくつかの例を、以下の表に要約する。
0005455640.tif 000005
【００３７】
オーバーヘッドの節約量は、何人のユーザーが同時にスケジューリングされるかに依存する。ユーザーの数が１人または２人である場合には、（オーバーヘッドの小さい）最初の２つのＨＳ−ＳＣＣＨが使用される。より多くのユーザーに対しては、（オーバーヘッドの節約がない）既存のフォーマットを用いたＨＳ−ＳＣＣＨが必要となる。しかしながら、平均すると、シグナリングオーバーヘッドは節約される。より大きなオーバーヘッドのＨＳ−ＳＣＣＨは、典型的には、成功裡に受信されるためにはより高いＳＩＮＲを必要とするので、これらのＨＳ−ＳＣＣＨは、（ＣＱＩレポートにより示される）高いチャネル品質を有する移動端末に割り当てられ得る。一方、より少ない数のシグナリングビットを担持する、オーバーヘッドの小さなＨＳ−ＳＣＣＨは、より低いチャネル品質を有する移動端末に割り当てられ得る。
【００３８】
ＨＳ−ＳＣＣＨ内でシグナリングされる情報は、所与のＨＳ−ＳＣＣＨと関連付けられている特定のオフセットに加えて、（ＵＭＴＳ規格から既に知られているように）コード数だけでなく、コードリソースの位置に関する何らかの情報も指定するものであってもよい。
【００３９】
各ＨＳ−ＳＣＣＨによりシグナリングされるリソースの量を順序付ければ、シグナリングのためのビットの数を、さらに減らすことができる。たとえば、第１のＨＳ−ＳＣＣＨを、常に最も高いコード数を有するものとし、第２のＨＳ−ＳＣＣＨを、２番目に高いコード数を有するものとし、・・・といった具合である。これは、１５個のコードおよび２個のＨＳ−ＳＣＣＨがある場合には、第２のＨＳ−ＳＣＣＨによりシグナリングされる必要のある最大コード数は、７であることを意味する。
【００４０】
上記で述べたように、シグナリングされるコードの数は、現行のＵＭＴＳにおける形態と同様に、オフセットと組み合わされていてもよい。この場合、最初の２個のＨＳ−ＳＣＣＨがわずか４ビットを有し、残りの２個のＨＳ−ＳＣＣＨが５ビットを有するような、４個のＨＳ−ＳＣＣＨを用いて、１５個のコードおよび４人のユーザーに対する可能なすべてのリソース割当てを、シグナリングすることが可能であると思われる。
【００４１】
さらなる１つの可能性としては、半静的な開始コードを有するが、その開始コードから（上向きではなく）下向きにコード数が数えられるものとして、１つ以上のＨＳ−ＳＣＣＨを設定する態様が挙げられる。負のコード数を用いることが、ＨＳ−ＳＣＣＨ内における方向（上向きまたは下向き）をシグナリングすることと等価な、１つの可能性として考えられる。
【００４２】
コードを数える際、いくつかの実施形態においては、コードが、コード空間の終端において「ラップアラウンド」することが許容され、その結果、可能性として、割り当てられたコードブロックの２つの連続しない部分がもたらされる。
【００４３】
本発明の１つのバリエーションでは、動的にシグナリングされるパラメータは開始点とされ、コード数は、各制御チャネルにつき既に設定されているものとされる。
【００４４】
本明細書および特許請求の範囲では、ある要素に先行する「１つの」との語は、かかる要素が複数存在することを排除するものではない。さらに、「含む」または「備える」との語は、列挙されたもの以外の他の要素または工程の存在を排除するものではない。特許請求の範囲において括弧内に参照符号を含めることは、理解を助ける意図のものであり、制限的な意図ではない。
【００４５】
当業者には、本明細書を読むことにより、他の変更形態が明らかであろう。かかる変更形態は、上記で説明済みの特徴に代えてまたはかかる特徴に加えて用いられ得る、無線通信の分野において既知の他の特徴を含んでいてもよい。
【図１】
0005455640.tif 000006
【図２】
0005455640.tif 000007
【図３】
0005455640.tif 000008
【図４】
0005455640.tif 000009